(57)【要約】      （修正有）【課題】キーを紛失しにくく且つ防犯面に優れ、さらに使用しやすさも考慮したキーケースを提供する。【解決手段】本考案に係るキーケースは、内部にキーを収納する閉空間を有するケース部１と、ケース部１の外側上面に設けられた外部取り付け具３と、ケース部１の閉空間上方に設けられ、コードとコードを巻き取り収納する巻き取りボックス５ａを有するリール５と、コードの一端に設けられたキー取り付け具７とを備え、ケース部１の閉空間下方には、底面と４側面で囲まれたキー収納空間１ａが設けられ、ケース部１の閉空間の一側面において、キー収納空間１ａの上端からケース部１の閉空間の略上端までファスナー２を設けたことを特徴とする。【選択図】図２
0003211876.tif 000002
【実用新案登録請求の範囲】
【請求項１】
内部にキーを収納する閉空間を有するケース部と、
当該ケース部の外側略上面に設けられた外部取り付け具と、
上記ケース部の閉空間上方に設けられ、コードと当該コードを巻き取り収納する巻き取りボックスを有するリールと、
上記コードの一端に設けられたキー取り付け具と
を備え、
上記ケース部の閉空間下方には、底面と４側面で囲まれたキー収納空間が設けられ、
上記ケース部の閉空間の一側面において、上記キー収納空間の上端から上記ケース部の閉空間の略上端まで開閉手段を設けた
ことを特徴とするキーケース。
【請求項２】
上記開閉手段はファスナーである
ことを特徴とする請求項１に記載のキーケース。
【請求項３】
上記外部取り付け具はフックである
ことを特徴とする請求項１または２に記載のキーケース。
【請求項４】
上記キー取り付け具はフックである
ことを特徴とする請求項１から３のいずれかに記載のキーケース。
【考案の詳細な説明】
【技術分野】
【０００１】
本考案は、キー（鍵）を収納するケースに関するものであり、特にカバン等に装着して使用することに適したキーケースに関するものである。
【背景技術】
【０００２】
近年、親が不在であるため、キーを所持して通学する子供が増加している。子供の場合にはキーを紛失しまうこともあり、それを防止するために、通学カバンに装着できるキーケースが用いられている。
【０００３】
例えば、キーを隠して防犯効果を高め、更にキーの引き出しを容易に行うことができるリール付きキーケースが提案されている。このキーケースは、本体が折り畳まれる構成で、内側にキーを装着するスナップベルト１５や二重リングが形成されている。本体は、リール式のホルダー１８のリールの先端に接続している。そして、リールの他端にはフック１９が設けられ、カバン等に装着できるようになっている（例えば、特許文献１）。
【先行技術文献】
【特許文献】
【０００４】
【特許文献１】実用新案登録第３２０６７０６号
【考案の概要】
【考案が解決しようとする課題】
【０００５】
特許文献１に示されたリール付きキーケースは、本体の下方が開口しているため、キーを装着するスナップベルトあるいは二重リングが破損した場合、キーが本体から落下して、キーを紛失してしまう怖れがあった。
また、リールは丈夫な素材で形成されていたとしても、数千回等の伸縮を繰り返すことで切断してしまう危険性があり、その場合には本体ごと紛失する恐れがあった。
【０００６】
また、本体の開閉には面ファスナーが使用されているが、本体の開閉面が何かに引っかかったりした際には、面ファスナーが開き、中のキーが露出してしまう怖れもあった。さらに、面ファスナーは繰り返し開閉を行うことで吸着力が劣化してしまうという問題もあった。
【０００７】
本考案は、上記の問題点を解決すると同時に、使用しやすさを追求したキーケースを提供するものである。
【課題を解決するための手段】
【０００８】
請求項１に係るキーケースは、
内部にキーを収納する閉空間を有するケース部（１）と、
当該ケース部（１）の外側略上面に設けられた外部取り付け具（３）と、
上記ケース部（１）の閉空間上方に設けられ、コード（５Ｃ）と当該コード（５Ｃ）を巻き取り収納する巻き取りボックス（５ａ）を有するリールと、
上記コード（５Ｃ）の一端に設けられたキー取り付け具（７）と
を備え、
上記ケース部（１）の閉空間下方には、底面と４側面で囲まれたキー収納空間（１ａ）が設けられ、
上記ケース部（１）の閉空間の一側面において、上記キー収納空間（１ａ）の上端から上記ケース部（１）の閉空間の略上端まで開閉手段（２）を設けた
ことを特徴とする。
【０００９】
請求項２に係るキーケースは、
開閉手段（２）がファスナー（２）である
ことを特徴とする。
【００１０】
請求項３に係るキーケースは、
上記外部取り付け具（３）がフックである
ことを特徴とする。
【００１１】
請求項４に係るキーケースは、
上記キー取り付け具（７）はフックである
ことを特徴とする。
【考案の効果】
【００１２】
本考案に係るキーケースは上記のように構成されているので、以下に示す数多くの考案の効果を有する。
まず、ケース部の閉空間下方に底面と４側面で囲まれたキー収納空間を設けたため、キーがキー取り付け具から外れ、且つファスナーを閉め忘れた場合でも、キーはキー収納空間に留まりやすく、したがってキーを紛失しにくい。
【００１３】
また、ケースの開閉部にファスナーを採用しているので、面ファスナー等と異なり、何かのはずみで開いたり、あるいは吸着力等が劣化したりしない。さらに、ファスナーを閉め忘れた場合でも、キーはケース部の閉空間にあるため、外部からキーを視認されることはなく、防犯の観点において安全性が高い。
【００１４】
開閉部がケースの側面に設けてあるため、キーの出し入れが容易である。例えば、ランドセルの左側にキーケースを取り付けた場合、ファスナーの開閉やキーの取り出しを、右手を用いた自然な動作で行うことができる。
【００１５】
以上のように、本考案に係るキーケースは、キーを紛失しにくく、防犯性に優れ、且つ使用しやすいという特長を有している。
【図面の簡単な説明】
【００１６】
【図１】本考案に係るキーケースの外観図であり、（ａ）は左面図、（ｂ）は正面図、（ｃ）は右面図である。
【図２】本考案に係るキーケースの内部透視図であり、（ａ）は正面図、（ｂ）は右面図である。
【図３】本考案に係るキーケースの使用例を示す図である。
【考案を実施するための形態】
【００１７】
実施の形態．
以下に、本考案に係るキーケースの実施の形態について、図を用いて説明する。尚、以下の実施の形態は、本考案の最適な一例であって、特に本考案をこの一例に限定するものではない。
【００１８】
＜構成＞
まず、図１から図３を用いて、キーケースの構成について説明する。
図１は、キーケースの外観図であり、（ａ）は左面図、（ｂ）は正面図、（ｃ）は右面図である。
図２はキーケースの内部透視図であり、（ａ）は正面図、（ｂ）は右面図である。実際のキーケースは、中のキーが外から見えないようにするという防犯上の要請から、非透明素材でケースを作製しているが、図２では、内部構成を説明するために透視図を示している。
図３は、使用時の様子を示した図である。
【００１９】
両図に示したように、キーケースは、主な構成として、内部にキーを収納する閉空間を有するケース部１と、ケース部１の外側略上面に設けられた外部取り付け具３と、上記ケース部１の閉空間上方に設けられ、コード５ｃとコード５ｃを巻き取り収納する巻き取りボックス５ａを有するリール５と、コード５ｃの一端に設けられたキー取り付け具７とを備えている。そして、ケース部１の閉空間下方には、底面と４側面で囲まれたキー収納空間１ａが設けられ、ケース部１の閉空間の一側面において、キー収納空間１ａの上端から上記ケース部１の閉空間の略上端まで開閉手段であるファスナー２を設けている。
【００２０】
ケース部１の素材としては、上述したように非透明な素材が良く、布、皮革、ビニール等が適している。あるいは全体の形態を維持するために成型樹脂等をコアとし、それをカバーするように布等を用いても良い。
【００２１】
外部取り付け具３は、カバン等に取り付けるためのもので、例えばフックが用いられる。この外部取り付け具３は、直接、あるいは図１や図２に示すようにベルト４等を介してケース部１の外側略上面に取り付けられている。ここで、「外側略上面」とは、ケース部１の外側であって、且つ上面付近を意味する。すなわち、上面または、側面の最上部付近を意味する。
【００２２】
リール５は、図３に示すように、コード５ｃとそれを巻き取って収納する巻き取りボックス５ａ等から構成されている。コード５ｃの長さは５０ｃｍから１ｍ程度である。コード５ｃの一端を引っ張ると、巻き取りボックス５ａからコード５ｃが引き出され、コード５ｃの一端を離すと、巻き取りボックス５ａに設けられたバネ機構等により、コード５ｃが巻き取りボックス５ａ内に巻き取られる。
【００２３】
コード５ｃとしては丈夫な材質が良く、金属糸や樹脂糸の撚線等が最適である。
また、コード５ｃの一端にはコード端部５ｂを設けても良い。コード端部５ｂはコード５ｃの一端とカシメや溶接等で接合されている。コード端部５ｂがあることで、コード５ｃが全て巻き取りボックス５ａ内に巻き取られることを防止することができる。また、コード端部５ｂを介して、キー取り付け具７をコード５ｃの一端に設けることができる。
【００２４】
キー取り付け具７は、キーを取り付けるものであり、外部取り付け具３と同様にフック等であり、取り付けやすく且つ外れにくい機構の取り付け具であれば、どのようなものであってもよい。
【００２５】
ケース部１の閉空間下方には、底面と４側面で囲まれたキー収納空間１ａが設けられている。キー取り付け具７にキーを取り付けた際に、キーの位置がこのキー収納空間１ａ付近に収まるように、ケース部１やリール５等の寸法を決める。
【００２６】
図１の（ａ）図や（ｂ）図に示すように、ケース部１の閉空間の一側面において、キー収納空間１ａの上端から上記ケース部１の閉空間の略上端まで開閉手段としてファスナー２を設けている。ファスナー２はスライダー２ａを用いて開閉できる。開閉する方向は上下どちらでも良いが、閉めやすさを重視した場合、図に示すように、上から下に向けて閉め、下から上に向けて開けるようにした方がよい。
なお、開閉手段としては、ファスナーの他に面ファスナー等であっても良い。
【００２７】
＜使用方法＞
キーを取り出す際には、図３に示すように、スライダー２ａを持ってファスナー２を開け、ケース部１からキーＡを引っ張り出す。
施錠あるいは開錠後は、キーＡから手を離すと、コード５ｃが巻き取りボックス５ａ内に巻き取られることで、キーＡはケース部１のキー収納空間１ａ内に納まる。そして、スライダー２ａを持ってファスナー２を閉じる。
【００２８】
＜本考案のまとめ＞
前述したように、キーを所持して通学する子供が増加しているため、キーを紛失しにくく、且つ防犯上優れたキーケースが望まれている。本考案は、そのような社会的な要請に応えるべく、さらに使用しやすさも考慮したキーケースを提案するものである。
以下に、本考案の示す優れた特長をまとめる。
【００２９】
まず、ケース部の閉空間下方に底面と４側面で囲まれたキー収納空間を設けたため、キーがキー取り付け具から外れ、且つファスナーを閉め忘れた場合でも、キーはキー収納空間に留まりやすく、したがってキーを紛失しにくい。
【００３０】
また、ケースの開閉部にファスナーを採用しているので、面ファスナー等と異なり、何かのはずみで開いたり、あるいは吸着力等が劣化したりしない。さらに、ファスナーを閉め忘れた場合でも、キーはケース部の閉空間にあるため、外部からキーを視認されることはなく、防犯の観点において安全性が高い。
【００３１】
開閉部がケースの側面に設けてあるため、キーの出し入れが容易である。例えば、ランドセルの左側にキーケースを取り付けた場合、ファスナーの開閉やキーの取り出しを、右手を用いた自然な動作で行うことができる。
【００３２】
以上のように、本考案に係るキーケースは、キーを紛失しにくく、防犯性に優れ、且つ使用しやすいという特長を有している。
【符号の説明】
【００３３】
１．ケース部
１ａ  キー収納空間
２  開閉手段（ファスナー）
２ａ  スライダー
３  外部取り付け具（フック）
４  ベルト
５  リール
５ａ  巻取りボックス
５ｂ  コード端部
５ｃ  コード
６  リング
７  キー取り付け具（フック）
Ａ  キー
【図１】
0003211876.tif 000003
【図２】
0003211876.tif 000004
【図３】
0003211876.tif 000005